(57)【要約】      （修正有）【課題】本発明は、開閉蓋の開閉用の大きな空間を必要とせず、かつ、容易に開閉することのできる穀物乾燥機の点検口を提供する。【解決手段】穀物乾燥部に上載して穀物貯留部を設け、穀物乾燥部から流下する穀物を穀物貯留部へ搬送する揚穀機を立設し、穀物貯留部の壁面には矩形の点検口１０及び該点検口を開閉する開閉蓋１２を設けてなる穀物乾燥機において、点検口の上縁部及び左右縁部には穀物貯留部内側から開閉蓋の周縁部と当接するための当接枠１１を設ける一方、開閉蓋の下辺には点検口の下縁部を遊嵌する一対のフランジを設け、さらに、開閉蓋の左右辺と点検口の左右縁部とを貫通する係止孔をそれぞれ設け、各係止孔にそれぞれ貫通して開閉蓋を係止する一対の係止ピン１５を設けたことを特徴とする。【選択図】図３
2018084370.tif 000002
【特許請求の範囲】
【請求項１】
穀物乾燥部に上載して穀物貯留部を設け、前記穀物乾燥部から流下する穀物を前記穀物貯留部へ搬送する揚穀機を立設し、前記穀物貯留部の壁面には矩形の点検口及び該点検口を開閉する開閉蓋を設けてなる穀物乾燥機において、
前記点検口の上縁部及び左右縁部には前記穀物貯留部内側から前記開閉蓋の周縁部と当接するための当接枠を設ける一方、前記開閉蓋の下辺には前記点検口の下縁部を遊嵌する一対のフランジを設け、さらに、前記開閉蓋の左右辺と前記点検口の左右縁部とを貫通する係止孔をそれぞれ設け、前記各係止孔にそれぞれ貫通して前記開閉蓋を係止する一対の係止ピンを設けたことを特徴とする穀物乾燥機の点検口。
【請求項２】
前記開閉蓋の下辺の一対のフランジのうち前記穀物貯留部の内部側のフランジは、該穀物貯留部の内部側に傾斜させて設けてなる請求項１の穀物乾燥機の点検口。
【請求項３】
前記点検口の縁部と前記開閉蓋とには緩やかにチェーンを掛け渡してなる請求項１又は２の穀物乾燥機の点検口。
【請求項４】
前記開閉蓋には取っ手を設けてなる請求項１乃至３いずれかの穀物乾燥機の点検口。
【発明の詳細な説明】
【技術分野】
【０００１】
本発明は、穀物乾燥機に係り、特に、穀物乾燥機の点検口に関する。
【背景技術】
【０００２】
従来、収穫後の米麦等を機内を循環させながら乾燥する穀物乾燥機においては、機体内部、特に、乾燥部のスクリーンや貯留部の補強ステー等を点検・清掃するために、貯留部の側面の機壁に点検用の開口と該開口を開閉し得る開閉蓋を設けている（特許文献１参照）。
【０００３】
ところで、前記点検用開口の開閉蓋を開いて作業者が機内に入る際、蝶番を中心に開閉蓋を機体外側へ回動させるので不覚的大きな空間が必要であり、そのため、穀物乾燥機を作業場の壁側に接近させて設置したり、複数の穀物乾燥機を接近させて並設したりすることが困難であった。また、開閉蓋を機体の外側へ開く構造であるため、機体内の穀物の圧力に耐えるように、開閉蓋を複数のねじ等で締着して点検用開口部に十分密着させる必要があった。
【先行技術文献】
【特許文献】
【０００４】
【特許文献１】実開昭６０-１８８９９４号公報
【発明の概要】
【発明が解決しようとする課題】
【０００５】
そこで、前記問題点にかんがみ本発明は、開閉蓋の開閉用の大きな空間を必要とせず、かつ、容易に開閉することのできる穀物乾燥機の点検口を提供することを目的とする。
【課題を解決するための手段】
【０００６】
上記目的を達成するため、本発明は、穀物乾燥部に上載して穀物貯留部を設け、前記穀物乾燥部から流下する穀物を前記穀物貯留部へ搬送する揚穀機を立設し、前記穀物貯留部の壁面には矩形の点検口及び該点検口を開閉する開閉蓋を設けてなる穀物乾燥機において、
前記点検口の上縁部及び左右縁部には前記穀物貯留部内側から前記開閉蓋の周縁部と当接するための当接枠を設ける一方、前記開閉蓋の下辺には前記点検口の下縁部を遊嵌する一対のフランジを設け、さらに、前記開閉蓋の左右辺と前記点検口の左右縁部とを貫通する係止孔をそれぞれ設け、前記各係止孔にそれぞれ貫通して前記開閉蓋を係止する一対の係止ピンを設けたことを特徴とする。
【０００７】
前記開閉蓋の下辺の一対のフランジのうち前記穀物貯留部の内部側のフランジは、該穀物貯留部の内部側に傾斜させて設けるのが好ましい。  
【０００８】
また、前記点検口の縁部と前記開閉蓋とには緩やかにチェーンを掛け渡すとよい。
【０００９】
さらに、前記開閉蓋には取っ手を設けることもできる。
【発明の効果】
【００１０】
これにより、より狭い空間であっても点検口の開閉が可能となり、穀物乾燥機を作業場の壁際に接近させて設置したり、複数の穀物乾燥機を接近させて並設することが可能となる。また、開閉蓋を点検口の内側から当接させるので、穀物の圧力によって開閉蓋と点検口との密着度が増すことになり、開閉蓋をねじ等によって強固に止着する必要がない。
【００１１】
さらに、前記点検口の縁部と前記開閉蓋とには緩やかにチェーンを掛け渡すことにより、開閉蓋を外したときに該開閉蓋が落下することがなく、さらに、開閉蓋の片側の上下部にそれぞれチェーンを装着すれば、該チェーンを中心にして該開閉蓋を穀物貯留部の内側方向へ回動して点検口を開けることができる。  
【００１２】
開閉蓋に取っ手を設けることにより、該取っ手を握って開閉蓋を僅かに上方に移動させて開閉蓋の下辺の一対のフランジと前記点検口の下縁部との遊嵌状態を解除し、次いで、開閉蓋を穀物貯留部内等に移動させることが容易となる。
【図面の簡単な説明】
【００１３】
【図１】穀物乾燥機の一部を破断した正面図である。
【図２】本発明の点検口及び開閉蓋の実施の形態を示す一部拡大斜視図である。
【図３】同上において点検口を開いた状態を示す斜視図である。
【図４】図2における開閉蓋の斜視図である。
【図５】同上の開閉蓋の拡大側面図である。
【発明を実施するための形態】
【００１４】
本発明の実施の形態について図面とともに説明する。
図１は、本発明の実施形態を示す穀物乾燥機の正面図である。穀物乾燥機1の上部には穀粒を貯留する穀粒貯留部６を設け、その下部には穀物乾燥部５を設ける。前記穀物乾燥部５には前記穀物貯留部６内の穀粒を流下させるための一対の穀物乾燥室４を配設する。前記穀物乾燥室４は多孔壁によって形成され、一対の穀物乾燥室４によって囲まれる空間を熱風室３となすとともに各穀物乾燥室４の外側をそれぞれ排風室となす。前記熱風室３の一端部にはバーナ等からなる熱風生成装置（図示せず）が配置される一方、前記一対の排風室４であって前記熱風生成装置の反対側端部には排風ファン（図示せず）が配設される。さらに、前記穀物乾燥室４の下端のロータリーバルブ８から流下する穀物を前記穀物貯留部６に搬送する揚穀機７を穀物乾燥機１の前面に立設する。
【００１５】
前記穀物貯留部６は周縁に組付け用フランジを形成した複数のプレート６ａを組み合わせることによって形成され、該穀物貯留部６内には前記複数のプレート６ａどうしに掛け渡す補強ステー（図示せず）が縦横に設けられる。また、前記補強ステーを取り付けるプレート６ａを補強するため、前記プレート６ａの外側面には、両側部を折曲してに立上げ部９ａを有する補強金具９が穀物貯留部６の上下方向にわたって複数設けられる。
【００１６】
図２及び図３は、本実施形態における点検口１０及び開閉蓋１２を示す一部拡大斜視図である。
前記穀物貯留部６の左右両側壁の適宜箇所には前記プレート６ａを設けずに点検口１０を形成する。前記点検口１０は前記穀物貯留部６の下段又は下段寄りにあって、例えば、縦７００ｍｍ、横５００ｍｍ程度の大きさで開口される。
【００１７】
前記点検口１０の上縁部及び左右縁部には前記穀物貯留部６内側から前記開閉蓋１２の周縁部と当接するための当接枠１１を設ける。すなわち、一対の前記補強金具９で挟まれる箇所を点検口１０となし、該点検口１０の上縁部及び左右縁部には前記開閉蓋１２が嵌めこまれるよう前記開閉蓋１２の周縁部の厚さ寸法だけ外方へ張り出してけい構え状（冂）に前記当接枠１１を設ける。前記当接枠１１の当接面の幅は前記開閉蓋１２の周縁部の幅と略一致させ、該当接枠１１と前記プレート６ａとの間は密着させて固定される。
【００１８】
前記開閉蓋１２は、上辺部及び左右辺部を各折曲して断面箱状の当接部１２ａを備えるとともに、下辺部に沿って一対のフランジ１３ａ，１３ｂを設ける。前記一対のフランジ１３ａ，１３ｂは、これら一対のランジ１３ａ，１３ｂによって、前記点検口１０の下縁部を形成するプレート６ａの上端部６ｂを上方から跨いで挟み込むように設けられ、かつ、前記穀物貯留部６内部側の前記フランジ１３ｂは、その下部を前記穀物貯留部６内部側へ傾斜させて設け、これにより、これら一対のフランジ１３ａ，１３ｂで前記プレート６ａの上端部６ｂを遊嵌したとき、前記上端部６ｂを中心に前記開閉蓋１２が前記穀物貯留部６の内側へ回動可能となる。そのため、前記一対のフランジ１３ａ，１３ｂは、前記当接枠１１で形成される点検口１０の幅以内の長さとする。
【００１９】
前記開閉蓋１２の当接部ａの両側面の上部寄りにはそれぞれ係止孔１４を設けるとともに、該係止孔１４に対応する当接枠１１及び補強金具９の立上げ部９ａにもそれれ係止孔を設ける（図示せず）。さらに、前記点検口１０を挟む一対の補強金具９には鉤状に折曲した係止ピン１５及び該係止ピン１５を回動自在に保持する保持金具１６をそれぞれ設け、前記係止ピン１５を前記開閉蓋１２の係止孔１４に挿通することによって前記開閉蓋１２を前記点検口１０に密着させた状態で係止することができる。
符号１７は、開閉蓋１２の表側に設けた取っ手である。
【００２０】
したがって、穀物乾燥機１の運転終了後に機内の点検等を行うために点検口１０を開口すべく開閉蓋１２を開く場合は、梯子等を登って一対の係止ピン１５を前記開閉蓋１２の各係止孔１４から引き抜いた後、取っ手１７を握って前記開閉蓋１２を上方に持ち上げながら穀物貯留部６内に移動させる。このとき、開閉蓋１２下縁部の内部側のフランジ１３ｂが内部側に傾斜しているので、該開閉蓋１２上部が機内側へ回動可能となる。次いで、開閉蓋１２を機外に取り出す場合は、開閉蓋１２を横に寝かせた状態で点検口１０から取り出す。
【００２１】
点検作業等が終わって点検口１０を閉める場合は、開閉蓋１２を横にして点検口１０から機内に入れた後、機内から開閉蓋１２下辺部の一対のフランジ１３ａ，１３ｂを点検口１０の下縁部であるプレート６ａの上端部６ｂに上方から跨ぐように遊嵌させ、次いで、開閉蓋１２を前記フランジ１３ａ，１３ｂを中心に上方へ回動させて点検口１０に嵌入して密着させるとともに、係止ピン１５を係止孔１４に挿通して係止する。
【００２２】
次に、チェーンを使った実施例について説明する。
前記開閉蓋１２の左右いずれか一側寄りの上下にそれぞれチェーン２０の一端を固着するとともに、点検口１０に隣接する補強金具９に前記チェーン２０の他端を緩やかな状態で固着する（図２参照）。
これにより、上述のように開閉蓋１２を点検口１０から外したときに、上下にそれぞれ自由度を持たせて設けた前記チェーン２０が蝶番の作用を奏すことによって、開閉蓋１２をドアのように開閉することができる（図３参照）。
【００２３】
さらに、前記開閉蓋１２の他側寄りに、チェーン等によって吊設したフック２１を備えることによって、前記開閉蓋１２のチェーン２０を中心に開閉蓋１２を機内側へ開いたときに、前記フック２１を穀物貯留部６内部の補強ステー等に引っ掛けて、開閉蓋１２を開いた状態で保持することができる。  
【産業上の利用可能性】
【００２４】
本発明の穀物乾燥機の点検口は、開閉スペースが小さい場所においても開閉蓋の開閉が可能であるので極めて利用価値が高い。
【符号の説明】
【００２５】
１    穀物乾燥機    
２    排風室
３    熱風室
４    穀物乾燥室
５    穀物乾燥部
６    穀物貯留部
７    揚穀機
８    ロータリバルブ
９    補強金具
１０  点検口
１１  当接枠
１２  開閉蓋
１３  フランジ
１４  係止孔
１５  係止ピン
１６  保持金具
１７  取っ手
２０  チェーン
２１  フック
【図１】
2018084370.tif 000003
【図２】
2018084370.tif 000004
【図３】
2018084370.tif 000005
【図４】
2018084370.tif 000006
【図５】
2018084370.tif 000007